【手続補正書】
【提出日】平成25年8月8日(2013.8.8)
【手続補正１】
【補正対象書類名】特許請求の範囲
【補正対象項目名】全文
【補正方法】変更
【補正の内容】
【特許請求の範囲】
【請求項１】
第１の３Ｄ画像を符号化した第１の符号化ストリームと第２の３Ｄ画像を符号化した第２の符号化ストリームとを編集点において編集する画像処理装置において、
前記第１の符号化ストリームに付加された前記第１の３Ｄ画像における注視領域の両眼視差量を含む第１の視差情報を取得し、前記第２の符号化ストリームに付加された前記第２の３Ｄ画像における注視領域の両眼視差量を含む第２の視差情報を取得する取得部と、
前記取得部により取得された前記第１の視差情報に含まれる両眼視差量と前記取得部により取得された前記第２の視差情報に含まれる両眼視差量との差分が閾値以下となるように、前記第１の視差情報の両眼視差量または前記第２の視差情報の両眼視差量を調整する調整部と、
前記取得部により取得された前記第１の視差情報に含まれる前記両眼視差量または前記取得部により取得された前記第２の視差情報に含まれる前記両眼視差量を、前記調整部により調整された前記両眼視差量に更新する更新部と、
前記更新部により前記両眼視差量が更新された前記第１の視差情報を前記第１の符号化ストリームに付加するか、または、前記更新部により前記両眼視差量が更新された前記第２の視差情報を前記第２の符号化ストリームに付加し、前記第１の符号化ストリームと前記第２の符号化ストリームを前記編集点において編集する編集部と
を備える画像処理装置。
【請求項２】
前記取得部により取得された前記第１の視差情報に含まれる前記両眼視差量と前記取得部により取得された前記第２の視差情報に含まれる前記両眼視差量とに基づいて、前記第１の符号化ストリームに設定される編集点を含む所定区間と前記第２の符号化ストリームに設定される編集点を含む所定区間とを、視差の調整が必要な区間である再符号化区間として設定する設定部
をさらに備え、
前記編集部は、前記第１の符号化ストリームと前記第２の符号化ストリームとを対象として、前記設定部により設定された前記再符号化区間を再符号化する
請求項１に記載の画像処理装置。
【請求項３】
前記編集部は、
前記第１の符号化ストリームの再符号化区間と前記第２の符号化ストリームの再符号化区間とを復号する復号部と、
前記復号部による復号の結果得られる前記第１の３Ｄ画像と前記第２の３Ｄ画像を前記編集点で編集した結果得られる編集３Ｄ画像を符号化する符号化部と
を備える
請求項２に記載の画像処理装置。
【請求項４】
前記取得部は、前記第１の符号化ストリームに付加された前記第１の３Ｄ画像の視聴環境として想定される上限スクリーン幅と想定両眼間隔とを含む第１の想定視聴環境情報を取得し、前記第２の符号化ストリームに付加された前記第２の３Ｄ画像の視聴環境として想定される上限スクリーン幅と想定両眼間隔とを含む第２の想定視聴環境情報を取得し、
前記設定部は、前記取得部により取得された前記第１の想定視聴環境情報と前記第２の想定視聴環境情報とに基づいて、前記再符号化区間を設定する
請求項２に記載の画像処理装置。
【請求項５】
前記取得部は、前記第１の符号化ストリームに付加された前記第１の３Ｄ画像の両眼視差量の上限値を含む第１の撮影条件情報を取得し、前記第２の符号化ストリームに付加された前記第２の３Ｄ画像の両眼視差量の上限値を含む第２の撮影条件情報を取得し、
前記設定部は、前記取得部により取得された前記第１の撮影条件情報と前記第２の撮影条件情報とに基づいて、前記再符号化区間を設定する
請求項２に記載の画像処理装置。
【請求項６】
第１の３Ｄ画像を符号化した第１の符号化ストリームと第２の３Ｄ画像を符号化した第２の符号化ストリームとを編集点において編集する画像処理装置が、
前記第１の符号化ストリームに付加された前記第１の３Ｄ画像における注視領域の両眼視差量を含む第１の視差情報を取得し、前記第２の符号化ストリームに付加された前記第２の３Ｄ画像における注視領域の両眼視差量を含む第２の視差情報を取得する取得ステップと、
前記取得ステップの処理により取得された前記第１の視差情報に含まれる両眼視差量と前記取得ステップの処理により取得された前記第２の視差情報に含まれる両眼視差量との差分が閾値以下となるように、前記第１の視差情報の両眼視差量または前記第２の視差情報の両眼視差量を調整する調整ステップと、
前記取得ステップの処理により取得された前記第１の視差情報に含まれる前記両眼視差量または前記取得ステップの処理により取得された前記第２の視差情報に含まれる前記両眼視差量を、前記調整ステップの処理により調整された前記両眼視差量に更新する更新ステップと、
前記更新ステップの処理により前記両眼視差量が更新された前記第１の視差情報を前記第１の符号化ストリームに付加するか、または、前記更新ステップの処理により前記両眼視差量が更新された前記第２の視差情報を前記第２の符号化ストリームに付加し、前記第１の符号化ストリームと前記第２の符号化ストリームを前記編集点において編集する編集ステップと
を含む画像処理方法。
【手続補正２】
【補正対象書類名】明細書
【補正対象項目名】００１３
【補正方法】変更
【補正の内容】
【００１３】
本発明の一側面の画像処理装置は、第１の３Ｄ画像を符号化した第１の符号化ストリームと第２の３Ｄ画像を符号化した第２の符号化ストリームとを編集点において編集する画像処理装置において、前記第１の符号化ストリームに付加された前記第１の３Ｄ画像における注視領域の両眼視差量を含む第１の視差情報を取得し、前記第２の符号化ストリームに付加された前記第２の３Ｄ画像における注視領域の両眼視差量を含む第２の視差情報を取得する取得部と、前記取得部により取得された前記第１の視差情報に含まれる両眼視差量と前記取得部により取得された前記第２の視差情報に含まれる両眼視差量との差分が閾値以下となるように、前記第１の視差情報の両眼視差量または前記第２の視差情報の両眼視差量を調整する調整部と、前記取得部により取得された前記第１の視差情報に含まれる前記両眼視差量または前記取得部により取得された前記第２の視差情報に含まれる前記両眼視差量を、前記調整部により調整された前記両眼視差量に更新する更新部と、前記更新部により前記両眼視差量が更新された前記第１の視差情報を前記第１の符号化ストリームに付加するか、または、前記更新部により前記両眼視差量が更新された前記第２の視差情報を前記第２の符号化ストリームに付加し、前記第１の符号化ストリームと前記第２の符号化ストリームを前記編集点において編集する編集部とを備える画像処理装置である。
【手続補正３】
【補正対象書類名】明細書
【補正対象項目名】００１５
【補正方法】変更
【補正の内容】
【００１５】
本発明の一側面においては、第１の３Ｄ画像を符号化した第１の符号化ストリームに付加された前記第１の３Ｄ画像における注視領域の両眼視差量を含む第１の視差情報が取得され、第２の３Ｄ画像を符号化した第２の符号化ストリームに付加された前記第２の３Ｄ画像における注視領域の両眼視差量を含む第２の視差情報が取得され、前記第１の視差情報に含まれる両眼視差量と前記第２の視差情報に含まれる両眼視差量との差分が閾値以下となるように、前記第１の視差情報の両眼視差量または前記第２の視差情報の両眼視差量が調整され、前記第１の視差情報に含まれる前記両眼視差量または前記第２の視差情報に含まれる前記両眼視差量が、調整された前記両眼視差量に更新され、前記両眼視差量が更新された前記第１の視差情報が前記第１の符号化ストリームに付加されるか、または、前記両眼視差量が更新された前記第２の視差情報が前記第２の符号化ストリームに付加され、前記第１の符号化ストリームと前記第２の符号化ストリームが前記編集点において編集される。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００２２
【補正方法】削除
【補正の内容】